(57)【要約】【課題】  スライド型の携帯端末において、表示部の向きを切り替える。【解決手段】  携帯端末１０は、画像を表示する表示部２１が設けられる上部筐体２０と上部筐体２０にスライド可能に重ね合わされて設けられる下部筐体３０とを含んで構成される。下部筐体３０には、２つの突出部３３ａ，３３ｂが設けられる。上部筐体２０には、２つの突出部３３ａ，３３ｂをスライド可能に収容するスライド用溝部２４と、突出部３３ｂを支持する、スライド用溝部２４ｂに繋がった凹部２５と、突出部３３ｂが凹部２５によって支持されている状態で、突出部３３ａを、突出部３３ｂを中心として円弧状にスライド可能に収容する、スライド用溝部２４ａと繋がった回転用溝部２７と、が設けられる。【選択図】  図７
2008193523.tif 000002
【特許請求の範囲】
【請求項１】
画像を表示する表示部が設けられる第１の筐体と当該第１の筐体にスライド可能に重ね合わされて設けられる第２の筐体とを含んで構成される携帯端末であって、
前記第１の筐体及び前記第２の筐体の一方の筐体において、当該第１の筐体と当該第２の筐体とが重ね合わされる面に２つの突出部が設けられ、
前記第１の筐体及び前記第２の筐体の他方の筐体において重ね合わされる面に、
前記２つの突出部をスライド可能に収容する、スライド方向に延びた２本の平行なスライド用溝部と、
一方の前記突出部がスライドできるように一方の前記スライド用溝部に繋がっていると共に、当該一方の前記突出部を支持する凹部と、
前記一方の前記突出部が前記凹部へスライドするのと同時に他方の前記突出部がスライドできるように他方の前記スライド用溝部の所定箇所と繋がっていると共に、当該一方の前記突出部が当該凹部によって支持されている状態で、当該他方の前記突出部を当該一方の前記突出部を中心として円弧状にスライド可能に収容する回転用溝部と、が設けられた
ことを特徴とする携帯端末。
【請求項２】
２つの前記突出部は、先端に回転可能な部材を有していることを特徴とする請求項１に記載の携帯端末。
【請求項３】
前記第１の筐体及び前記第２の筐体の何れか一方に、前記一方の前記突出部が前記一方の前記スライド用溝部から前記凹部に向かう方向とは逆方向に前記一方の筐体を付勢する付勢手段が設けられたことを特徴とする請求項１又は２に記載の携帯端末。
【発明の詳細な説明】
【技術分野】
【０００１】
本発明は、画像を表示する表示部が設けられる携帯端末に関する。
【背景技術】
【０００２】
移動機等の携帯端末で、テレビ放送を視聴することができる、いわゆるワンセグサービスが開始されている。通常、移動機等の携帯端末では、液晶等で情報の表示を行う表示部が縦長であることが多い。ワンセグサービスではテレビ放送であり基本的に横長の表示を前提にサービスが提供されているため、携帯端末の表示部を横長に切り替える簡易な方法が求められている。縦長の表示部を横長に切り替える方法として、２つの筐体からなる携帯端末において、所定の回転軸に沿って一方の筐体を９０°回転させるものがある（例えば、特許文献１及び２参照）。
【０００３】
その一方で、２つの筐体を重ね合せた構成とし、一方の筐体を他方の筐体に対してスライド可能である、いわゆるスライド型の携帯端末が用いられている（例えば、特許文献３参照）。
【特許文献１】特開２００４−１３５１１８号公報
【特許文献２】特開２００６−１９１６６８号公報
【特許文献３】特開２００６−２７０８０４号公報
【発明の開示】
【発明が解決しようとする課題】
【０００４】
上記のようなスライド型の携帯端末では、一方の筐体が他方の筐体に対してスライドできる構成となっているため、特許文献１及び２に示すような回転の機構を設けることが難しく、縦長の表示部を横長に切り替えることができなかった。
【０００５】
本発明は、以上の問題点を解決するためになされたものであり、スライド型の携帯端末において、表示部の向きを切り替えることができる携帯端末を提供することを目的とする。
【課題を解決するための手段】
【０００６】
上記の目的を達成するために、本発明に係る携帯端末は、画像を表示する表示部が設けられる第１の筐体と当該第１の筐体にスライド可能に重ね合わされて設けられる第２の筐体とを含んで構成される携帯端末であって、第１の筐体及び第２の筐体の一方の筐体において、当該第１の筐体と当該第２の筐体とが重ね合わされる面に２つの突出部が設けられ、第１の筐体及び第２の筐体の他方の筐体において重ね合わされる面に、２つの突出部をスライド可能に収容する、スライド方向に延びた２本の平行なスライド用溝部と、一方の突出部がスライドできるように一方のスライド用溝部に繋がっていると共に、当該一方の突出部を支持する凹部と、一方の突出部が凹部へスライドするのと同時に他方の突出部がスライドできるように他方のスライド用溝部の所定箇所と繋がっていると共に、当該一方の突出部が当該凹部によって支持されている状態で、当該他方の突出部を当該一方の突出部を中心として円弧状にスライド可能に収容する回転用溝部と、が設けられたことを特徴とする。
【０００７】
本発明に係る携帯端末では、スライド用溝部に収容された２つの突出部がスライド方向にスライドすることによって、第１の筐体及び第２の筐体の一方に対して、他方がスライドすることができる。また、一方の突出部が凹部に支持されて、回転用溝部に収納された他方の突出部が円弧状にスライドすることによって、当該円弧状のスライドに応じて、第２の筐体に対して表示部が設けられた第１の筐体が回転する。即ち、本発明に係る携帯端末は、スライド型の携帯端末である一方、表示部の向きを切り替えることができる。
【０００８】
２つの突出部は、先端に回転可能な部材を有していることが望ましい。この構成によれば、突出部がスライド用溝部及び回転用溝部に収容されてスライドする際に、回転可能な部材が回転することによって、よりスムーズにスライドすることができる。これにより、本発明に係る携帯端末を、より扱いやすい携帯端末とすることができる。
【０００９】
第１の筐体及び第２の筐体の何れか一方に、一方の突出部が一方のスライド用溝部から凹部に向かう方向とは逆方向に一方の筐体を付勢する付勢手段が設けられたことが望ましい。この構成によれば、付勢手段による付勢よりも弱い力を加えただけでは２つの突出部が凹部や回転用溝部にスライドすることがなく、不意に第１の筐体が回転することを防止することができる。
【発明の効果】
【００１０】
本発明に係る携帯端末では、スライド用溝部に収容された２つの突出部がスライド方向にスライドすることによって、第１の筐体及び第２の筐体の一方に対して、他方がスライドすることができる。また、一方の突出部が凹部に支持されて、回転用溝部に収納された他方の突出部が円弧状にスライドすることによって、当該円弧状のスライドに応じて、表示部が設けられた第１の筐体が第２の筐体に対して回転することができる。即ち、本発明に係る携帯端末は、スライド型の携帯端末である一方、表示部の向きを切り替えることができる。
【発明を実施するための最良の形態】
【００１１】
以下、図面とともに本発明に係る携帯端末の好適な実施形態について詳細に説明する。なお、図面の説明においては同一要素には同一符号を付し、重複する説明を省略する。また、図面の寸法比率は、説明のものと必ずしも一致していない。
【００１２】
図１〜３に本実施形態に係る携帯端末１０を示す。携帯端末１０としては、具体的には例えば、携帯電話機やＰＤＡ（Personal Digital Assistants）等のユーザによって携帯されて用いられる電子機器が相当する。本実施形態では、携帯端末１０は、携帯電話機であるものとして説明する。携帯端末１０は、第１の筐体である上部筐体２０と、当該上部筐体２０に重ね合せて設けられる第２の筐体である下部筐体３０とを含んで構成されている。上部筐体２０及び下部筐体３０は、ほぼ同じ大きさ、かつほぼ直方体の形状をしており、最も大きい面同士が対向するように重ね合わされている。本実施形態では、上下左右等の方向を示す語は携帯端末１０に図１に示す状態を基準とし、また、上下方向を縦方向、左右方向を横方向、奥行き方向を厚さ方向として説明する。上部筐体２０及び下部筐体３０は、縦横方向に比べて、厚さ方向の長さが短く形成されており、即ち、薄型に形成されており、ユーザが使用しやすい形状となっている。また、上部筐体２０及び下部筐体３０は、それぞれ縦長に形成されている。
【００１３】
上部筐体２０は、下部筐体３０に対して、重ねあわされた面に沿ってスライドすることができる。スライドは、図２に示すように、縦方向（重ね合わされる面（矩形）の長手方向）と、図３に示すように下部筐体３０に対して上部筐体２０が回転する方向とに行われる。このスライドは、ユーザ等によりスライドさせるように力が作用されることにより、即ち、上部筐体２０及び下部筐体３０の一方を固定して、他方に対してスライド方向に力が加えられることによって行われる。なお、スライドの機構については後述する。
【００１４】
上部筐体２０における下部筐体３０と重ね合わされる面の逆側の面２０ａ（以降、上部筐体２０の表面２０ａと呼ぶ）には、ユーザの携帯端末１０等に対する操作や携帯端末１０のステータスに応じた画像を表示する表示部２１が設けられている。表示部２１は、具体的には、液晶ディスプレイ等の画像表示装置により構成され、携帯端末１０に含まれるＣＰＵ（Central Processing Unit）やメモリ等によって制御された画像を表示する。表示部２１は、表示部２１が設けられる表面２０ａの矩形形状に合わせた、縦長の形状（何れか一方の辺が長い矩形の形状）をしている。
【００１５】
上部筐体２０の表面２０ａには、複数のキー２２から構成される入力部２３が設けられている。ユーザが当該キー２２を押下することにより、携帯端末１０に対する操作及び入力を行える。図２及び図３に示すように、下部筐体３０における上部筐体２０と重ね合わされる面（以降、下部筐体３０の重ね合わせ面３０ａと呼ぶ）の、上部筐体２０が上側にスライドしてときに露出する部分には、電話番号等を入力するための複数の数字キー３１から構成される入力部３２が設けられている。ユーザが当該数字キー３１を押下することにより、携帯端末１０に対する操作及び入力を行える。
【００１６】
また、上部筐体２０及び下部筐体３０（の何れか）には、携帯端末１０を携帯電話機として機能させるためのマイク、スピーカー等が設けられている（図示せず）。それ以外にも、携帯端末１０には、カメラ等の機能が備えられていてもよい。
【００１７】
引き続いて、携帯端末１０におけるスライドの機構を説明する。図４（ａ）に、上部筐体２０における下部筐体３０と重ね合わされる面２０ｂ（以降、上部筐体２０の重ね合わせ面２０ｂと呼ぶ）を示す。図４（ｂ）に、下部筐体３０の重ね合わせ面３０ａを示す。上部筐体２０の重ね合わせ面２０ｂには、溝部２４，２６，２７，２８及び凹部２５が設けられている。下部筐体３０の重ね合わせ面３０ａには、２つの突出部３３が設けられている。上部筐体２０の溝部２４，２６，２７，２８は、下部筐体３０の突出部３３をスライド可能に収容することができる構成となっている。また、凹部２５は、突出部３３を支持できる構成となっている。突出部３３が収容された溝部２４，２６，２７，２８内でスライドすることによって、上部筐体２０は下部筐体３０に対してスライドすることができる。以下に、突出部３３、並びに溝部２４，２６，２７，２８及び凹部２５について詳細に説明する。
【００１８】
２つの突出部３３は、下部筐体３０の重ね合わせ面３０ａにおいて、上部筐体２０がスライドしても露出しない部分に設けられる。具体的には例えば、図４（ｂ）に示すように、２つの突出部３３は、下部筐体３０の重ね合わせ面３０ａにおける、上方の側面の近傍かつ左右の側面の近傍にそれぞれが設けられる。図５に示すように、突出部３３は、その先端に、回転可能な部材である車輪３４を有しているのが望ましい。突出部３３が、溝部２４，２６，２７，２８に沿ってスライドする際に、溝部２４，２６，２７，２８の方向に沿って車輪３４を回転させてスムーズにスライドさせるためである。なお、突出部３３は、溝部２４，２６，２７，２８に完全に収容される必要はなく、図５（ａ）に示すように溝部２４，２６，２７，２８に沿ってスライドできる程度に一部が収容されていてもよい。
【００１９】
溝部２４，２６，２７，２８のうち、２本のスライド用溝部２４は、突出部３３を上下方向にスライドさせるためのものである。２本のスライド用溝部２４は、左右方向における２つの突出部３３に対応する位置で上下方向（スライド方向）に平行に延びている。図４では、左側の突出部３３ａは、右側のスライド用溝部２４ａ（上部筐体２０を裏返すと左側に位置する）に収容され、右側の突出部３３ｂは、左側のスライド用溝部２４ｂ（上部筐体２０を裏返すと右側に位置する）に収容される。
【００２０】
スライド用溝部２４の上方の端部は、図１に示すように上部筐体２０と下部筐体３０とが、上端及び下端が揃って重ね合わされるように、突出部３３が設けられる位置に対応する位置まで延びている。一方、スライド用溝部２４の下方の端部は、上部筐体２０を上下方向にスライドさせる長さに応じた位置まで延びている。但し、上部筐体２０を回転させるスライドを行わせる関係上、スライド用溝部２４の上端から下端までの長さは、２つの突出部３３の間の長さ以上にする。
【００２１】
凹部２５は、一方の突出部３３（図４では、右側の突出部３３ｂ）を支持する部分である。具体的には例えば、図５に示すように凹部２５は、溝部２４，２６，２７，２８よりも更に深い半球状の窪みとして形成される。図５（ｂ）に示すように、凹部２５による突出部３３ｂの支持は、上部筐体２０を下部筐体３０に対して回転スライドさせる際の中心軸としての役割を果たす。凹部２５は、突出部３３ｂを収容するスライド用溝部２４ｂの更に外側（左側）、かつスライド用溝部２４ｂの下端の近傍に設けられる。凹部２５とスライド用溝部２４ｂとの間は、連結用溝部２６によって繋がっている。突出部３３ｂがスライド用溝部２４ｂと凹部２５との間をスライド移動できるようにするためである。
【００２２】
溝部２４，２６，２７，２８のうち、回転用溝部２７は、一方の突出部３３（図４では、右側の突出部３３ｂ）が凹部２５によって支持されている状態で、他方の突出部３３（図４では、右側の突出部３３ａ）を、突出部３３ｂを中心として円弧状にスライドさせるためのものである。回転用溝部２７は、中心角が９０°の円弧状の溝部であり、その円弧の中心は凹部２５、円弧の半径は２つの突出部３３の間の長さである。回転用溝部２７の下端２７ａは、突出部３３ａを収容するスライド用溝部２４ａの更に内側（左側）、かつスライド用溝部２４ａの下端の近傍に設けられる。即ち、スライド用溝部２４ｂに対する凹部２５の位置と、スライド用溝部２４ａに対する回転用溝部２７の下端２７ａの位置とが同様の位置関係となる。また、回転用溝部２７の上端２７ｂは、左側の面の近傍に位置する。また、回転用溝部２７は、スライド用溝部２４ｂと交差する。
【００２３】
回転用溝部２７の下端の近傍とスライド用溝部２４ａとの間は、連結用溝部２８によって繋がっている。突出部３３ａがスライド用溝部２４ａと回転用溝部２７との間をスライド移動できるようにするためである。
【００２４】
なお、上述した溝部２４，２６，２７，２８に沿って、上部筐体２０と下部筐体３０との間で電力や信号を入出力するためのケーブル等が設けられることとしてもよい。
【００２５】
引き続いて、本実施形態に係る携帯端末１０のスライドの動作を説明する。まず、図６を用いて下部筐体３０に対して上部筐体２０が上下方向にスライドされる場合を示す。なお、図６は、携帯端末１０を、下部筐体３０側から見た図である（図１とは視点が逆になっている）。
【００２６】
図６（ａ）に示されるように、上部筐体２０と下部筐体３０とが重ね合わせ面２０ｂ，３０ａが合うように重ね合わされている状態で、図中の矢印で示すように上部筐体２０が上方にスライドするように、携帯端末１０に対して力を作用させる。そのように力が作用されると、２つの突出部３３それぞれが、２つのスライド用溝部２４に沿って、スライド用溝部２４に対して下方にスライドする。突出部３３のスライドに応じて、上部筐体２０が下部筐体３０に対して上方にスライドする。このように上部筐体２０がスライドした結果、図６（ｂ）に示すように、下部筐体３０の重ね合わせ面３０ａの下方が露出した状態となる。
【００２７】
また図６（ｂ）に示す状態で、図中の矢印で示すように上部筐体２０が下方にスライドするように、携帯端末１０に対して力を作用させる。そのように力が作用されると、２つの突出部３３それぞれが、２つのスライド用溝部２４に沿って、スライド用溝部２４に対して上方にスライドする。突出部３３のスライドに応じて、上部筐体２０が下部筐体３０に対して下方にスライドする。このように上部筐体２０がスライドした結果、図６（ａ）に示す状態となる。このように、本実施形態に係る携帯端末１０は、上部筐体２０を下部筐体３０に対して上下方向にスライドさせることができ、スライド型の携帯端末となっている。
【００２８】
続いて、図７を用いて下部筐体３０に対して上部筐体２０が（上部筐体２０側から見て）９０°左側に回転するスライドがされる場合（図３に示す状態になる場合）を示す。なお、図６は、携帯端末１０を、下部筐体３０側から見た図である（図６と同様）。
【００２９】
まず、図７（ａ）に示されるように、下部筐体３０の重ね合わせ面３０ａの下方が露出しており、突出部３３ａがスライド用溝部２４ａにおける連結用溝部２８が繋がっている部分に、突出部３３ｂがスライド用溝部２４ｂにおける連結用溝部２６が繋がっている部分にそれぞれ位置している状態で、図中の矢印で示すように上部筐体２０が右方（上部筐体２０側から見たら左方）にスライドするように、携帯端末１０に対して力を作用させる。そのように力が作用されると、図７（ｂ）に示すように、突出部３３ａが連結用溝部２８を通ってスライドして、回転用溝部２７に移動する。また、突出部３３ｂが連結用溝部２６を通ってスライドして、凹部２５に移動する。これにより、上部筐体２０は、下部筐体３０に対して、少し右側（上部筐体２０側から見たら左側）にずれた状態となる
【００３０】
続いて、図７（ｂ）に示す状態で、図中の矢印で示すように上部筐体２０が、（上部筐体２０側から見て）左側に回転するように、携帯端末１０に対して力を作用させる。そのように力が作用されると、突出部３３ｂが凹部２５に支持されると共に、突出部３３ａが回転用溝部２７内で下端２７ａから上端２７ｂに向かってスライドする。図７（ｃ）に示すように、突出部３３ａのスライドに応じて、上部筐体２０が下部筐体３０に対して、凹部２５の位置を中心に（上部筐体２０側から見て）左側に回転する。
【００３１】
突出部３３ａが、中心角９０°分の円弧状のスライドをすることによって、上端２７ｂに到達すると、図７（ｄ）に示すように、上部筐体２０は下部筐体３０に対して９０°回転して横向きに重ね合わされた状態（図３に示す状態）となる。また、上部筐体２０が横向きとなったことによって、上部筐体２０の表示部２１も下部筐体３０に対して横長の状態になる。このように、本実施形態に係る携帯端末１０は、上部筐体２０を下部筐体３０に対して回転させることができ、表示部２１を縦長から横長にすることができる。
【００３２】
上述した実施形態の携帯端末１０では、上部筐体２０に溝部２４，２６，２７，２８及び凹部２５が設けられ、下部筐体３０に突出部３３が設けられる構成となっていたが、上部筐体に突出部を設け、下部筐体に溝部及び凹部を設ける構成としてもよい。そのような、上部筐体１２０を図８（ａ）に、下部筐体１３０を図８（ｂ）にそれぞれ示す。
【００３３】
図８では、図４と同様に、重ね合わせ面１２０ｂ，１３０ａを示した図である。なお、上部筐体１２０及び下部筐体１３０の突出部、溝部及び凹部の構成以外は、上述した構成と同様である。即ち、上部筐体１２０の表面１２０ａには、上述した構成と同様の表示部１２１が設けられている。
【００３４】
上部筐体１２０の重ね合わせ面１２０ｂには、２つの突出部１２２が設けられている。下部筐体１３０の重ね合わせ面１３０ａには、溝部１３１，１３３，１３４，１３５及び凹部１３２が設けられている。下部筐体１３０の溝部１３１，１３３，１３４，１３５は、上部筐体１２０の突出部１２２をスライド可能に収容することができる構成となっている。また、凹部１３２は、突出部１２２を支持できる構成となっている。突出部１２２が収容された溝部１３１，１３３，１３４，１３５内でスライドすることによって、上部筐体１２０は下部筐体１３０に対してスライドすることができる。以下に、突出部１２２、並びに溝部１３１，１３３，１３４，１３５及び凹部１３２について詳細に説明する。
【００３５】
２つの突出部１２２は、上部筐体１２０の重ね合わせ面１２０ｂにおいて、上部筐体１２０がスライドしても露出しない部分に設けられる。具体的には例えば、図８（ａ）に示すように、２つの突出部１２２は、上部筐体１２０の重ね合わせ面１２０ｂにおける、上下方向のほぼ中央かつ左右の側面の近傍にそれぞれが設けられる。なお、上部筐体１２０がスライドできる長さは突出部１２２の上下方向の位置に応じて決まるので、スライドさせる長さに基づいて、突出部１２２の上下方向の位置を決めることとするのがよい。
【００３６】
溝部１３１，１３３，１３４，１３５のうち、２本のスライド用溝部１３１は、突出部１２２を上下方向にスライドさせるためのものである。２本のスライド用溝部１３１は、左右方向における２つの突出部１２２に対応する位置で上下方向（スライド方向）に平行に延びている。図８では、左側の突出部１２２ａ（上部筐体１２０を裏返すと右に位置する）は、右側のスライド用溝部１３１ａに収容され、右側の突出部１２２ｂ（上部筐体１２０を裏返すと左に位置する）は、左側のスライド用溝部１３１ｂに収容される。
【００３７】
スライド用溝部１３１の下方の端部は、図１に示すように上部筐体１２０と下部筐体１３０とが、上端及び下端が揃って重ね合わされるように、突出部１２２が設けられる位置に対応する位置まで延びている。一方、スライド用溝部１３１の上方の端部は、上部筐体１２０を上下方向にスライドさせる長さに応じた位置まで延びている。但し、上部筐体１２０を回転させるスライドを行わせる関係上、スライド用溝部１３１の上端から下端までの長さは、２つの突出部１２２の間の長さ以上にする。
【００３８】
凹部１３２は、一方の突出部１２２（図８では、左側の突出部１２２ａ）を支持する部分である。凹部１３２の構成は、上述した凹部２５の構成と同様である。凹部１３２は、突出部１２２ａを収容するスライド用溝部１３１ａの更に外側（右側）、かつスライド用溝部１３１ａの上端の近傍に設けられる。凹部１３２とスライド用溝部１３１ａとの間は、連結用溝部１３３によって繋がっている。突出部１２２ａがスライド用溝部１３１ａと凹部１３２との間をスライド移動できるようにするためである。
【００３９】
溝部１３１，１３３，１３４，１３５のうち、回転用溝部１３４は、一方の突出部１２２（図８では、左側の突出部１２２ａ）が凹部１３２によって支持されている状態で、他方の突出部１２２（図８では、右側の突出部１２２ｂ）を、突出部１２２ａを中心として円弧状にスライドさせるためのものである。回転用溝部１３４は、中心角が９０°の円弧状の溝部であり、その円弧の中心は凹部１３２、円弧の半径は２つの突出部１２２の間の長さである。回転用溝部１３４の上端１３４ａは、突出部１２２ｂを収容するスライド用溝部１３１ｂの更に内側（右側）、かつスライド用溝部１３１ｂの上端の近傍に設けられる。即ち、スライド用溝部１３１ａに対する凹部１３２の位置と、スライド用溝部１３１ａに対する回転用溝部１３４の上端１３４ａの位置とが同様の位置関係となる。また、回転用溝部１３４の下端１３４ｂは、右側の面の近傍に位置する。また、回転用溝部１３４は、スライド用溝部１３１ａと交差する。
【００４０】
回転用溝部１３４の上端の近傍とスライド用溝部１３１ｂとの間は、連結用溝部１３５によって繋がっている。突出部１２２ｂがスライド用溝部１３１ｂと回転用溝部１３４との間をスライド移動できるようにするためである。
【００４１】
引き続いて、上述した上部筐体１２０と下部筐体１３０とによって構成される携帯端末１１０のスライドの動作を説明する。上下方向のスライドについては、上述した例と同様であるので説明を省略する。図９を用いて下部筐体１３０に対して上部筐体１２０が（上部筐体１２０側から見て）９０°左側に回転するスライドがされる場合（図３に示す状態になる場合）を示す。なお、図９は、携帯端末１１０を、上部筐体１２０側から見た図である（図６，７とは逆）。
【００４２】
まず、図９（ａ）に示されるように、下部筐体１３０の重ね合わせ面１３０ａの下方が露出しており、突出部１２２ａがスライド用溝部１３１ａにおける連結用溝部１３３が繋がっている部分に、突出部１２２ｂがスライド用溝部１３１ｂにおける連結用溝部１３５が繋がっている部分にそれぞれ位置している状態で、図中の矢印で示すように上部筐体１２０が右方にスライドするように、携帯端末１１０に対して力を作用させる。そのように力が作用されると、図７（ｂ）に示すように、突出部１２２ａが連結用溝部１３３を通ってスライドして、凹部１３２に移動する。また、突出部１２２ｂが連結用溝部１３５を通ってスライドして、回転用溝部１３４に移動する。これにより、上部筐体１２０は、下部筐体１３０に対して、少し右側にずれた状態となる。
【００４３】
続いて、図９（ｂ）に示す状態で、図中の矢印で示すように上部筐体１２０が、左側に回転するように、携帯端末１１０に対して力を作用させる。そのように力が作用されると、突出部１２２ａが凹部１３２に支持されると共に、突出部１２２ｂが回転用溝部１３４内で上端１３４ａから下端１３４ｂに向かってスライドする。図９（ｃ）に示すように、突出部１２２ｂのスライドに応じて、上部筐体１２０が下部筐体１３０に対して、凹部１３２の位置を中心に左側に回転する。なお、上部筐体１２０の回転の際、凹部１３２に支持された突出部１２２ａも上部筐体１２０と共に回転されてもよい。その場合、突出部１２２ａは上部筐体１２０に対して動作できないように固定されている。また、凹部１３２に支持された突出部１２２ａは回転されなくてもよい。その場合、突出部１２２ａは上部筐体１２０に対して、重ね合わせ面１２０ｂと垂直な軸線を中心軸として回転できるように固定されている。
【００４４】
突出部１２２ｂが、中心角９０°分の円弧状のスライドをすることによって、下端１３４ｂに到達すると、図９（ｄ）に示すように、上部筐体１２０は下部筐体１３０に対して９０°回転して横向きに重ね合わされた状態（図３に示す状態）となる。また、上部筐体１２０が横向きとなったことによって、上部筐体１２０の表示部１２１も下部筐体１３０に対して横長の状態になる。このように、本実施形態に係る携帯端末１１０は、上部筐体１２０を下部筐体１３０に対して回転させることができ、表示部１２１を縦長から横長にすることができる。
【００４５】
上述したように本実施形態に係る携帯端末１０，１１０によれば、上下方向にスライドするスライド型の携帯端末において、表示部２１，１２１の向きを切り替えることができる。例えば、携帯端末１０，１１０を携帯電話機として使用する場合は、表示部２１，１２１を縦長にして用いて、ワンセグサービスを利用して携帯端末１０，１１０をテレビ受像機として使用する場合は、表示部２１，１２１を横長にして用いることができる。
【００４６】
また、本実施形態に携帯端末１０，１１０のように、突出部３３，１２２の先端に車輪３４等の回転可能な部材を設けることとすれば、よりスムーズにスライドすることができる。これにより、より扱いやすい携帯端末１０，１１０とすることができる。なお、回転可能な部材は、必ずしも車輪でなくてもよく、例えば、図１０に示すような、球状の部材をベアリングで回転可能に保持した構成４０としてもよい。また、突出部３３，１２２には、必ずしも回転可能な部材が設けられる必要はない。
【００４７】
また、上述した実施形態に係る携帯端末１０，１１０において、不意に上部筐体２０，１２０が回転することを防止するために、スライドさせようとする力が加えられない限り、突出部３３ｂ，１２２ａが凹部２５，１３２に移動することを防止する構成を設けることが望ましい。具体的には、上部筐体２０，１２０及び下部筐体３０，１３０の何れか一方に、突出部３３ｂ，１２２ａがスライド用溝部２４ｂ，１３１ａから凹部２５，１３２に向かう方向とは逆方向に上部筐体２０，１２０を付勢する付勢手段を設けることが好ましい。具体的には、例えば、図１１に示すように凹部２５が設けられる方の筐体２０に、突出部３３ｂが凹部２５に向かう方向とは逆方向に、もう一方の筐体３０を付勢するようなバネ５０を設けておくこととするのがよい。
【００４８】
このようなバネ５０を設ければ、図１１（ａ）に示すように、例えば携帯端末１０の傾き等の弱い力で突出部３３ｂが凹部２５に向かっても、図１１（ｂ）に示すように下部筐体３０がバネ５０による力を受けて、図１１（ｃ）に示すように、跳ね返される。なお、バネ５０は、スライドさせようとする力が加えられた場合には、突出部３３ｂを容易に凹部２５に移動させられる程度の付勢をするものを用いるのがよい。これにより、スライドさせようとする力が加えられない場合には、突出部３３ｂが凹部２５に移動することを防止することができ、不意に上部筐体２０，１２０が回転することを防止することができる。
【００４９】
なお、付勢手段であるバネ５０は、上記のような付勢を行うものであれば、上部筐体２０及び下部筐体３０の何れの箇所に設けられていてもよい。また、バネ５０の一端があたる部分がどの部分であってもよい。例えば、図１２に示すように、上部筐体２０と下部筐体３０とが重なり合う側に設けられていてもよい。
【図面の簡単な説明】
【００５０】
【図１】本発明の実施形態に係る携帯端末の、上部筐体と下部筐体とが重ね合わされた状態を示す図である。
【図２】本発明の実施形態に係る携帯端末の、上部筐体が下部筐体に対してスライドされた状態を示す図である。
【図３】本発明の実施形態に係る携帯端末の、上部筐体が下部筐体に対して回転された状態を示す図である。
【図４】上部筐体及び下部筐体それぞれの重ね合わせ面を示す図である。
【図５】突出部と凹部とを示す図である。
【図６】上部筐体が下部筐体に対してスライドされる動作を示す図である。
【図７】上部筐体が下部筐体に対して回転される動作を示す図である。
【図８】上部筐体及び下部筐体それぞれの重ね合わせ面の別の例を示す図である。
【図９】上部筐体が下部筐体に対して回転される動作の別の例を示す図である。
【図１０】突出部の別の例を示す図である。
【図１１】携帯端末に設けられた付勢手段を示した図である。
【図１２】携帯端末に設けられた付勢手段の別の例を示した図である。
【符号の説明】
【００５１】
１０…携帯端末、２０…上部筐体、２０ａ…表面、２０ｂ…重ね合わせ面、２１…表示部、２２…キー、２３…入力部、２４…スライド用溝部、２５…凹部、２６…連結用溝部、２７…回転用溝部、２８…連結用溝部、３０…下部筐体、３０ａ…重ね合わせ面、３１…数字キー、３２…入力部、３３…突出部、３４…車輪、４０…ベアリング構成、５０…バネ、１１０…携帯端末、１２０…上部筐体、１２０ａ…表面、１２０ｂ…重ね合わせ面、１２１…表示部、１２２…突出部、１３０…下部筐体、１３１…スライド用溝部、１３２…凹部、１３３…連結用溝部、１３４…回転用溝部、１３５…連結用溝部。
【図１】
2008193523.tif 000003
【図２】
2008193523.tif 000004
【図３】
2008193523.tif 000005
【図４】
2008193523.tif 000006
【図５】
2008193523.tif 000007
【図６】
2008193523.tif 000008
【図７】
2008193523.tif 000009
【図８】
2008193523.tif 000010
【図９】
2008193523.tif 000011
【図１０】
2008193523.tif 000012
【図１１】
2008193523.tif 000013
【図１２】
2008193523.tif 000014